(57)【特許請求の範囲】
【請求項１】
勾配を有する第１屋根面と、勾配を有し、棟を介して前記第１屋根面と隣り合う第２屋根面と、これらの屋根面の基端から上方に延びる側壁面とからなる３つの平面が交わる棟角部を覆うように取り付けられるシート状の屋根用防水部材であって、
前記第１屋根面に沿って配置される第１傾斜部と、
稜線を挟んで前記第１傾斜部と隣り合い、前記第２屋根面に沿って配置される第２傾斜部と、
前記第１傾斜部の基端から上方に延び、前記側壁面に沿って配置される第１起立部と、
前記第２傾斜部の基端から上方に延び、前記側壁面に沿って配置される第２起立部と、
折り畳まれていない状態で前記第１起立部と前記第２起立部の間に位置しており、前記稜線につながる下端を有し、この下端から上方に延びる上下方向に細長い形状を有し、前記側壁面に沿って配置される伸長部と、を備え、
前記伸長部は、前記第１傾斜部、前記第２傾斜部、前記第１起立部及び前記第２起立部と同じ材料からなるとともにこれらと一体成形されており、
前記伸長部は、前記第１起立部及び前記第２起立部よりも厚みが小さい部分を含み、前記第１起立部及び前記第２起立部に比べて、前記第１起立部と前記第２起立部が離れる方向に弾性変形又は塑性変形しやすく、前記弾性変形又は塑性変形に伴って前記第１傾斜部と前記第２傾斜部とのなす角度が調節される、屋根用防水部材。
【請求項２】
前記厚みが小さい部分が第１伸長部であり、
前記伸長部は、前記第１伸長部の上端に隣接する第２伸長部をさらに含み、
前記第２伸長部の厚みは、前記第１伸長部の厚みよりも大きく、前記第１起立部及び前記第２起立部の厚み以下であり、
前記第２伸長部の高さは、前記第２伸長部の幅よりも小さい、請求項１に記載の屋根用防水部材。
【請求項３】
前記伸長部の内面は、前記第１起立部及び前記第２起立部の内面と同一平面上にあり、
前記第１伸長部の外面は、前記第１起立部及び前記第２起立部の外面に比べて前記伸長部の内面側に凹んでいる、請求項２に記載の屋根用防水部材。
【請求項４】
前記伸長部は、オレフィン系熱可塑性エラストマーからなり、前記第１起立部と前記第２起立部が離れる方向に弾性変形可能である、請求項１〜３のいずれか１項に記載の屋根用防水部材。
【請求項５】
前記伸長部は、その下端から上端に向かうにつれて幅が大きくなる扇形状を有している、請求項１〜４のいずれか１項に記載の屋根用防水部材。
【発明の詳細な説明】
【技術分野】
【０００１】
本発明は、棟を介して隣り合う２つの屋根面と、これらの屋根面の基端から上方に延びる側壁面とからなる３つの平面が交わる棟角部を覆うように取り付けられるシート状の屋根用防水部材に関する。
【背景技術】
【０００２】
従来、例えば特許文献１に記載されているように、勾配を有する第１屋根面と、勾配を有し、棟を介して前記第１屋根面と隣り合う第２屋根面と、これらの屋根面の基端から上方に延びる側壁面とからなる３つの平面が交わる棟角部を覆うように取り付けられるシート状の屋根用防水部材が知られている。この屋根用防水部材は、棟角部及びこの近傍から雨水等が建物の内部に浸入するのを防止するためのものであり、金属材、合成樹脂材などの材料をプレス加工することにより形成されている。前記屋根用防水部材は、棟及びその両側の屋根面に沿って配置される傾斜部（屋根頂部覆板）と、この傾斜部の基端から上方に延び、側壁面に沿って配置可能な起立部（壁面覆板）とを備えている。
【０００３】
前記屋根用防水部材の傾斜部は、２つの屋根面に沿うように屈曲した形状を有しており、防水性を高めるために２つの屋根面との間にできるだけ隙間が生じないように配置される。ところが、屋根の勾配は住宅によって様々であるため、通常、種々の屋根勾配に応じた多数の防水部材を品揃えする必要がある。
【０００４】
例えば特許文献２には、略扇状の折り畳みシートを有するコーナー用防水シートが開示されており、１つのコーナー用防水シートで複数の異なる勾配の屋根に対応できる、と記載されている。
【先行技術文献】
【特許文献】
【０００５】
【特許文献１】実開昭５０−４２５２８号公報
【特許文献２】特開平１０−２８０６２０号公報
【発明の概要】
【発明が解決しようとする課題】
【０００６】
しかしながら、特許文献２のような防水シートでは、折り畳み部分を最大限広げた状態で防水シートを設置する場合を除いて、折り畳み部分においてシートが重なり合っており、しかもこの折り畳み部分の厚みは他の部分に比べて大きくなっている。したがって、折り畳み部分に隙間が生じて防水性能が低下するおそれがある。また、この折り畳み部分の防水性能が低下するのを防ぐために別途何らかの処置が必要となれば、屋根用防水部材の取り付け時の作業性が低下する。
【０００７】
本発明は、上記のような事情に鑑みてなされたものであり、種々の勾配の屋根に用いることができ、防水性能の低下を抑制でき、しかも取り付け時の作業性に優れた屋根用防水部材を提供することを目的とする。
【課題を解決するための手段】
【０００８】
本発明は、勾配を有する第１屋根面と、勾配を有し、棟を介して前記第１屋根面と隣り合う第２屋根面と、これらの屋根面の基端から上方に延びる側壁面とからなる３つの平面が交わる棟角部を覆うように取り付けられるシート状の屋根用防水部材に関するものである。この屋根用防水部材は、前記第１屋根面に沿って配置される第１傾斜部と、稜線を挟んで前記第１傾斜部と隣り合い、前記第２屋根面に沿って配置される第２傾斜部と、前記第１傾斜部の基端から上方に延び、前記側壁面に沿って配置される第１起立部と、前記第２傾斜部の基端から上方に延び、前記側壁面に沿って配置される第２起立部と、折り畳まれていない状態で前記第１起立部と前記第２起立部の間に位置しており、前記稜線につながる下端を有し、この下端から上方に延びる上下方向に細長い形状を有し、前記側壁面に沿って配置される伸長部と、を備えている。前記伸長部は、前記第１傾斜部、前記第２傾斜部、前記第１起立部及び前記第２起立部と同じ材料からなるとともにこれらと一体成形されている。前記伸長部は、前記第１起立部及び前記第２起立部よりも厚みが小さい部分を含み、前記第１起立部及び前記第２起立部に比べて、前記第１起立部と前記第２起立部が離れる方向に弾性変形又は塑性変形しやすく、前記弾性変形又は塑性変形に伴って前記第１傾斜部と前記第２傾斜部とのなす角度が調節される。
【０００９】
この構成では、第１起立部と第２起立部の間に位置し、前記稜線から上方に延び、側壁面に沿って配置される伸長部を備えている。この屋根用防水部材は、屋根用防水部材の全体が一様に伸び変形する構造ではなく、第１屋根面と第２屋根面とのなす角度を調節するうえで最適な領域、すなわち稜線につながる領域に伸び変形しやすい伸長部が設けられている。ここでいう伸び変形は、弾性変形又は塑性変形である。その一方で、伸長部の両サイドに位置する第１起立部及び第２起立部は、伸長部よりも伸び変形しにくい。
【００１０】
したがって、第１起立部及び第２起立部において屋根用防水部材の形状安定性を確保して良好な作業性を維持しつつ、伸長部を伸び変形させることにより第１傾斜部と第２傾斜部とのなす角度を調節することができる。しかも、第１起立部と第２起立部とのなす角度に応じて伸長部を伸び変形させるので、例えば特許文献２における折り畳み部のようにシートが重なり合う、厚みが増加するなどの不具合が生じることもない。よって、この構成を備えた屋根用防水部材は、種々の勾配の屋根に用いることができ、防水性能の低下を抑制でき、しかも取り付け時の作業性にも優れている。
【００１１】
前記屋根用防水部材において、伸長部が第１起立部及び第２起立部に比べて前記方向に伸び変形しやすい構成としては、前記伸長部の厚みが、前記第１起立部及び前記第２起立部の厚みよりも小さい形態が挙げられる。
【００１２】
この構成では、屋根用防水部材を構成する各部位が同じ材料からなるので、例えば射出成形などの成形手段を用いることにより、第１起立部及び第２起立部よりも厚みの小さい伸長部を備えた屋根用防水部材を成形することができる。このように本構成では、簡単な成形手段を用いて厚みを相対的に小さくするだけで伸長部を伸び変形しやすくできる。
【００１３】
前記屋根用防水部材において、伸長部が第１起立部及び第２起立部に比べて前記方向に伸び変形しやすい他の構成としては、前記伸長部が、前記厚みが小さい部分である第１伸長部と、前記第１伸長部の上端に隣接する第２伸長部とを含み、前記第２伸長部の厚みが、前記第１伸長部の厚みよりも大きく、前記第１起立部及び前記第２起立部の厚み以下であり、前記第２伸長部の高さが前記第２伸長部の幅よりも小さい形態が挙げられる。
【００１４】
この構成では、屋根用防水部材を構成する各部位が同じ材料からなるので、例えば射出成形などの成形手段を用いることにより、第１起立部及び第２起立部よりも厚みの小さい第１伸長部を備えた屋根用防水部材を成形することができる。しかも、この構成では、第１伸長部の上端に隣接する第２伸長部が設けられているので、第１伸長部の厚みを小さくすることに起因する伸長部の強度の低下を補うことができる。また、第２伸長部の厚みは、第１伸長部の厚みよりも大きく、第１起立部及び第２起立部の厚み以下であり、第２伸長部の高さは第２伸長部の幅よりも小さいので、第２伸長部の剛性が高くなるのが抑制されている。これにより、伸長部の伸び変形のしやすさが低下するのを抑制することができるので、取り付け時の良好な作業性が維持される。
【００１５】
前記屋根用防水部材において、前記伸長部の内面は、前記第１起立部及び前記第２起立部の内面と同一平面上にあり、前記第１伸長部の外面は、前記第１起立部及び前記第２起立部の外面に比べて前記伸長部の内面側に凹んでいるのが好ましい。
【００１６】
この構成では、第１伸長部の外面を凹ませることにより第１伸長部の厚みを第１起立部及び第２起立部よりも小さくしている。そして、伸長部の内面、第１起立部の内面及び第２起立部の内面が同一平面上にあるので、伸長部の内面を凹ませて厚みを小さくする場合に比べて伸長部と側壁面との間に隙間が生じにくく、防水性能の低下を抑制できる。
【００１７】
前記屋根用防水部材において、前記伸長部は、オレフィン系熱可塑性エラストマーからなり、前記第１起立部と前記第２起立部が離れる方向に弾性変形可能であるのが好ましい。
【００１８】
すなわち、オレフィン系熱可塑性エラストマーは、耐水性、耐候性、耐熱老化性等に優れ、かつゴム弾性に富むという性質をもつため、屋根という環境の厳しい場所において使用される屋根用防水部材の材料として特に好適である。
【００１９】
前記屋根用防水部材において、前記伸長部は、その下端から上端に向かうにつれて幅が大きくなる扇形状を有していてもよい。
【００２０】
前記屋根用防水部材では、第１傾斜部と第２傾斜部とのなす角度を調節するために伸長部を伸び変形させると、伸長部の下端側の部位よりも上端側の部位の方が変形量（伸び率）が大きくなる傾向にある。そこで、この構成では、伸長部を上記のように扇形状にすることにより、伸長部の上端側の部位の伸び変形のしやすさがより高められている。これにより、角度調節時の作業性を向上させることができるとともに、角度調節の範囲をより広げることができる。
【発明の効果】
【００２１】
以上説明したように、本発明の屋根用防水部材は、種々の勾配の屋根に用いることができ、防水性能の低下を抑制でき、しかも取り付け時の作業性にも優れている。
【図面の簡単な説明】
【００２２】
【図１】本発明の一実施形態にかかる屋根用防水部材を棟角部に取り付けた状態を示す斜視図である。
【図２】（Ａ）は、前記屋根用防水部材を示す平面図であり、（Ｂ）は、その正面図である。
【図３】前記屋根用防水部材における第１伸長部の上端に隣接して設けられた第２伸長部及びその近傍を拡大した正面図である。
【図４】図２（Ｂ）のIV−IV線断面図である。
【図５】前記屋根用防水部材における傾斜部の角度調整前と角度調整後の状態を示す正面図である。
【図６】（Ａ），（Ｂ）は、前記屋根用防水部材の施工手順を示す斜視図である。
【図７】前記屋根用防水部材の変形例を示す正面図である。
【図８】図２（Ａ），（Ｂ）に示す屋根用防水部材の物性を評価した部位を示す斜視図である。
【図９】前記屋根用防水部材の物性評価結果を示すグラフである。
【発明を実施するための形態】
【００２３】
以下、本発明の一実施形態に係る屋根用防水部材１０（以下、単に防水部材１０という。）について図面を参照して説明する。本実施形態では、図１に示すように２階建ての住宅に防水部材１０が用いられる場合を例に挙げて説明する。
【００２４】
図１に示すように、防水部材１０は、１階の屋根２３における棟２１を境に両方向に延びる第１屋根面２３ａ及び第２屋根面２３ｂと、これらの屋根面２３ａ，２３ｂの基端から上方に立ち上がる２階の側壁面２５とからなる３つの平面が交わる棟角部２２を覆うように取り付けられる。
【００２５】
防水部材１０は、棟２１の一部及びその近傍の屋根面２３ａ，２３ｂを覆う傾斜部と、側壁面２５の一部を覆う起立部とを一体的に備えている。図２（Ａ），（Ｂ）に示すように、前記傾斜部は、逆Ｖ字型の形状を有しており、第１傾斜部１１と、第２傾斜部１２とを含む。前記起立部は、第１起立部１３と、第２起立部１４と、伸長部１５とを含む。
【００２６】
稜線１６は、第１傾斜部１１と第２傾斜部１２とが線状に交わる部位であり、棟２１に沿って配置される。この稜線１６は、後述する角度調節時における第１傾斜部１１及び第２傾斜部１２の変位の基点（支点）となる部位である。防水部材１０が棟角部２２に取り付けられた状態では、稜線１６はその長手方向がほぼ水平方向を向く。
【００２７】
第１傾斜部１１は、稜線１６から斜め下方に平板状に延び、第１屋根面２３ａに沿って配置される。第２傾斜部１２は、稜線１６を介して第１傾斜部１１と隣り合い、稜線１６から斜め下方に平板状に延び、第２屋根面２３ｂに沿って配置される。図２（Ａ）に示すように第１傾斜部１１及び第２傾斜部１２は、それぞれ矩形状を有している。図２（Ｂ）に示すように、第１傾斜部１１の下面と第２傾斜部１２の下面とは、所定の角度θをなしている。第１傾斜部１１及び第２傾斜部１２は、全体にわたって厚みがほぼ一定である。
【００２８】
第１起立部１３は、第１傾斜部１１の基端から上方に延びており、第２起立部１４は、第２傾斜部１２の基端から上方に延びている。伸長部１５は、第１起立部１３と第２起立部１４の間に位置し、稜線１６につながり、上方に延びている。第１起立部１３、第２起立部１４及び伸長部１５は、側壁面２５に沿って配置される。防水部材１０が棟角部２２に取り付けられた状態では、第１起立部１３、第２起立部１４及び伸長部１５は、ほぼ鉛直方向に平行な姿勢で配置される。
【００２９】
図２（Ｂ）に示すように、第１起立部１３は、正面視で左辺よりも右辺の方が短く上辺と下辺が非平行な台形状を有している。第２起立部１４は、正面視で右辺よりも左辺の方が短く上辺と下辺が非平行な台形状を有している。第１起立部１３の厚み及び第２起立部１４の厚みは、これらの全体にわたってほぼ一定であり、第１傾斜部１１の厚み及び第２傾斜部１２の厚みとほぼ同じである。
【００３０】
図２（Ｂ）に示すように、伸長部１５は、上下方向に細長い帯状の形状を有している。伸長部１５は、第１伸長部１７と、第２伸長部１８とを含む。伸長部１５の下端１５２（第１伸長部１７の下端）は、稜線１６の基端につながっている。伸長部１５の上端１５１（第２伸長部１８の上端）は、第１起立部１３の上端及び第２起立部１４の上端とほぼ同じ高さにある。伸長部１５の幅W１は、上端１５１から下端１５２までほぼ一定である。
【００３１】
伸長部１５のうち、第１伸長部１７は、伸長部１５の下端１５２から上端１５１の近傍までの大半の領域を占めている。第２伸長部１８は、伸長部１５のうち、上端１５１の近傍領域のみを占めている。
【００３２】
伸長部１５は、第１起立部１３及び第２起立部１４に比べて第１起立部１３と第２起立部１４とが離れる方向に伸び変形しやすい部位である。具体的には、伸長部１５は、例えば防水部材１０を棟角部２２に取り付ける作業時に、作業者が左手で第１起立部１３を把持し、右手で第２起立部１４を把持した状態で左右に第１起立部１３及び第２起立部１４にそれぞれ引っ張り荷重を加えたときに、第１起立部１３及び第２起立部１４に比べてその荷重方向に弾性変形又は塑性変形しやすい部位である。言い換えると、伸長部１５は、第１起立部１３及び第２起立部１４に比べて引っ張り荷重が加わったときの伸び率の大きい部位である。
【００３３】
図３に示すように、第２伸長部１８は、第１起立部１３と第２起立部１４との間で、かつ第１伸長部１７の上端に隣接する位置に形成されている。第２伸長部１８は、第１起立部１３の上端１３１と第２起立部１４の上端１４１との間に架け渡されるように設けられている。第２伸長部１８の高さ（上下方向の幅）ｈ１は、第１起立部１３側の端部から第２起立部１４側の端部までほぼ一定である。
【００３４】
第２伸長部１８の厚みは、第１伸長部１７の厚みよりも大きく、第１起立部１３及び第２起立部１４の厚みｔ１とほぼ同じである。第１伸長部１７の厚みｔ２は、図４に示すように第１起立部１３及び第２起立部１４の厚みｔ１よりも小さい。
【００３５】
図４に示すように、伸長部１５の外面１５ａのうち、第１伸長部１７の外面は、第１起立部１３の外面１３ａ及び第２起立部１４の外面１４ａよりも伸長部１５の内面１５ｂ側に凹んでいる。伸長部１５の内面１５ｂ（第１伸長部１７の内面及び第２伸長部１８の内面）は、第１起立部１３の内面１３ｂ及び第２起立部１４の内面１４ｂとほぼ同一平面上にある。
【００３６】
防水部材１０において、第１傾斜部１１と第２傾斜部１２とのなす角度θを調節するために伸長部１５を伸び変形させると、伸長部１５の上端１５１の伸びが最も大きくなる。したがって、伸長部１５の中では上端１５１に最も負荷がかかりやすいので、第１伸長部１７よりも厚みの大きい第２伸長部１８を第１伸長部１７の上端に隣接して設けることにより、伸長部１５の伸び変形に対する耐久性を高めることができる。一方で、第２伸長部１８の厚みを大きくするほど伸長部１５の伸び変形のしやすさは低下する傾向にある。したがって、第２伸長部１８の高さｈ１は、伸長部１５の幅Ｗ１（第２伸長部１８の幅Ｗ１）よりも小さくするのが好ましく、第２伸長部１８の厚みは、第１伸長部１７の厚みｔ２よりも大きく、かつ第１起立部１３及び第２起立部１４の厚みｔ１以下であるのが好ましい。
【００３７】
防水部材１０の材料として例えばオレフィン系熱可塑性エラストマーを用いる場合、各部位のサイズの具体例を挙げると次のようになる。第２伸長部１８の高さｈ１は、０．５ｍｍ〜２ｍｍ程度の範囲にあるのが好ましい。伸長部１５の幅Ｗ１は、２ｍｍ〜１０ｍｍ程度の範囲にあるのが好ましい。第１起立部１３及び第２起立部１４の厚みｔ１は、０．５ｍｍ〜１．５ｍｍ程度の範囲にあるのが好ましい。第１伸長部１７の厚みｔ２は、第１起立部１３及び第２起立部１４の厚みｔ１の３０％〜７０％程度の範囲にあるのが好ましい。第２伸長部１８の厚みは、第１起立部１３及び第２起立部１４の厚みｔ１の５０％〜１００％程度の範囲にあるのが好ましい。
【００３８】
図５では、角度調節前（伸び変形前）の状態を二点鎖線で示し、角度調節後（伸び変形後）の状態を実線で示している。図２（Ｂ）及び図５に示すように、伸長部１５は、防水部材１０に対して引張力が加えられていない状態では上端１５１から下端１５２まで幅Ｗ１がほぼ一定であり、第１傾斜部１１と第２傾斜部１２とは角度θをなしている。
【００３９】
一方、後述する防水部材１０の取り付け時には、施工現場において実際の屋根の勾配に合うように第１傾斜部１１と第２傾斜部１２のなす角度θが角度θ１に調節される。このとき、第１起立部１３及び第２起立部１４に対しては、伸長部１５を伸ばす方向に図５に一点鎖線により示す引張力Ｆがそれぞれ加えられる。これにより、伸長部１５は、図５に実線で示すように伸び変形する。上述したように伸長部１５の中では上端１５１付近の変形量（伸び率）が最も大きく、下端１５２に向かうにつれて変形量が小さくなる傾向にある。したがって、伸び変形後の伸長部１５は、図５に実線で示すように扇形に近い形状となる。
【００４０】
また、伸長部１５の下端１５２（第１伸長部１７の下端）及びその近傍では、角度θが角度θ１に調節される過程において、伸長部１５が外側に伸びる変形ではなく、伸長部１５が内側に縮む変形をする。すなわち、角度θが角度θ１になると（角度が小さくなると）、第１傾斜部１１と第２傾斜部１２との距離が小さくなるので、稜線１６の基端につながる伸長部１５の下端１５２及びその近傍では、伸長部１５の幅Ｗ１も小さくなり、当該部位が縮み変形する。
【００４１】
本実施形態では、伸長部１５の下端１５２の厚みｔ２は、第１起立部１３及び第２起立部１４の厚みｔ１よりも小さい。したがって、伸長部１５の下端１５２及びその近傍は、第１起立部１３及び第２起立部１４に比べて伸び変形だけでなく縮む方向への変形も容易である。よって、角度調節に伴って伸長部１５の下端１５２及びその近傍が縮む方向に変形しても、縮み変形時の抵抗が小さいので、作業性が低下するのを抑制できる。しかも、伸長部１５の下端１５２及びその近傍において多少の縮み変形が生じたとしても、当該部位の厚みｔ２が厚みｔ１よりも小さいので、縮み変形に起因して生じる段差を小さく抑えることができる。また、伸長部１５の下端１５２及びその近傍に多少の段差が生じたとしても、当該部位の周囲は、第１屋根面２３ａ、第２屋根面２３ｂ又は側壁面２５との密着性が確保されるので、防水性能が低下することはない。
【００４２】
防水部材１０は、防水性を有する材料により構成されている。このような材料としては、例えば合成樹脂、合成ゴムなどの高分子化合物が挙げられる。また、防水部材１０の伸長部１５は、人の手で弾性変形又は塑性変形が可能で、かつ防水性を有する材料により構成されている。このような材料としては、例えば合成樹脂、合成ゴムなどの高分子化合物が挙げられ、具体的には、オレフィン系熱可塑性エラストマーなどの熱可塑性エラストマーが挙げられる。
【００４３】
オレフィン系熱可塑性エラストマーとは、オレフィン系樹脂（ポリエチレン系、ポリプロピレン系などの樹脂）のマトリックスにオレフィン系ゴム（ＥＰＲゴム、ＥＰＤＭゴムなどのゴム）を微分散させたものであり、優れたゴム弾性を有するとともに、耐水性、耐候性、耐熱老化性等に優れるといった特性を有している。
【００４４】
防水部材１０は、全体が単一の材料により構成されていてもよく、複数の異種材料により構成されていてもよい。前者の場合（単一材料により構成されている場合）、伸長部１５が他の部位（第１傾斜部１１、第２傾斜部１２、第１起立部１３及び第２起立部１４）に比べて人の手により弾性変形又は塑性変形しやすいようにするために、伸長部１５の厚み（本実施形態では第１伸長部１７の厚み）を他の部位よりも小さくすればよい。この場合、防水部材１０は、例えば単一の材料を原料として射出成形などの成形手段を用いて形成することができる。
【００４５】
後者の場合（異種材料により構成されている場合）、伸長部１５を構成する材料と他の部位を構成する材料とを異ならせ、伸長部１５の材料として他の部位の材料よりも伸び変形しやすいものを用いればよい。そして、防水部材１０は、これら異種材料を原料として二色成形などの成形手段を用いて形成することができる。この場合、伸長部１５以外の他の部位は、必ずしも人の手により弾性変形又は塑性変形させることができなくてもよく、硬質の合成樹脂、金属などを用いることもできる。また、この場合には、伸長部１５の厚みと第１起立部１３及び第２起立部１４の厚みとが同程度であってもよい。
【００４６】
後者の場合、伸長部１５を構成する材料としては熱可塑性エラストマーなどが例示でき、これと組み合わせる他の部位を構成する材料としては、ポリエチレン、ポリプロピレン、ポリエチレンテレフタレート、ＡＢＳ樹脂などが例示できる。
【００４７】
また、伸長部１５を構成する材料として塑性変形するものを用いる場合、第１傾斜部１１と第２傾斜部１２とのなす角度θを調節した後にはその形状が変形前に戻らず角度θ１が維持されるので、弾性変形する材料を用いる場合に比べて防水部材１０の取り付け時の作業性の点では好ましい。また、伸長部１５が塑性変形する場合には、第１傾斜部１１及び第２傾斜部１２が伸び変形すると角度調節しにくい場合があるので、第１傾斜部１１及び第２傾斜部１２の材料としては、伸び変形しにくい硬質の合成樹脂、金属などを用いるのがより好ましい。
【００４８】
防水部材１０における角度θの調節可能範囲は、伸長部１５の幅Ｗ１、厚みｔ２、材質などの要部を適宜設計することにより決められる。したがって、単一の防水部材１０によって市場の全ての屋根勾配に対応することも可能であるが、例えば緩勾配に用いられるタイプ、急勾配に用いられるタイプなどのようにいくつかに限定されたタイプに応じて要部が設計された少数の品種を品揃えするという対応も可能である。
【００４９】
具体例を挙げると次のようになる。例えば、緩勾配タイプの防水部材１０は、屋根２３の勾配が２寸勾配以上４寸勾配未満の建物に対応できるように設計され、急勾配タイプの防水部材１０は、屋根２３の勾配が４寸勾配以上６寸勾配以下の建物に対応できるように設計される。この場合、緩勾配タイプの防水部材１０では、角度θを１３６°〜１５７°程度の範囲に調節可能であり、急勾配タイプの防水部材１０では、角度θを１１８°〜１３６°程度の範囲に調節可能である。
【００５０】
（施工手順）
次に、防水部材１０の施工手順について説明する。
【００５１】
まず、第１屋根面２３ａ、第２屋根面２３ｂ及び側壁面２５の必要な部位に、防水性のシートからなる図略のルーフィング材を取り付ける。ルーフィング材とは、例えばフェルト製のシート素地にアスファルトを染み込ませたものであり、屋根葺きの下地に用いられるものである。なお、屋根面２３ａ，２３ｂが傾斜していることから、ルーフィング材は、高さの低い位置から順に、部分的に重ね合わせながら施工される。これにより、屋根面２３ａ，２３ｂの傾斜に沿って雨水等の水分が落ちてきても、この水分がルーフィング材どうしの隙間から内部に浸入することがなく、シール性が良好に確保される。
【００５２】
次に、図６（Ａ）に示すように、側壁面２５に防水性の両面テープ４１を貼り付ける。この両面テープ４１は、横長の矩形状を有している。この両面テープ４１は、その下縁の中央付近が棟２１の基端に位置するように配置される。両面テープ４１は、この後の工程において防水部材１０の第１起立部１３の少なくとも一部と第２起立部１４の少なくとも一部とが両面テープ４１と重なり得るような範囲に配置される。
【００５３】
次に、図６（Ｂ）に示すように、防水部材１０を棟角部２２に配置する。具体的には、まず、角度調節前の防水部材１０の勾配が屋根２３の勾配に合っている場合には、角度調節をすることなく防水部材１０を棟角部２２に配置する。一方、角度調節前の防水部材１０の勾配が屋根２３の勾配に合っていない場合には、防水部材１０の勾配が屋根２３の勾配に合うように伸長部１５を伸び変形させ、角度θを角度θ１に調節する。
【００５４】
ついで、角度調節した状態で第１起立部１３の内面１３ｂ及び第２起立部１４の内面１４ｂを両面テープ４１に貼り付ける。これにより、第１起立部１３及び第２起立部１４が側壁面２５に対して位置決めされる。そして、このように位置決めされた状態で、タッカー等の工具を用いてステープル、鋲、釘などの固定部材５１を第１傾斜部１１及び第２傾斜部１２の要所に打ち込む。これにより、第１傾斜部１１が第１屋根面２３ａに対して位置決めされ、第２傾斜部１２が第２屋根面２３ｂに対して位置決めされる。
【００５５】
第１傾斜部１１及び第２傾斜部１２を屋根面２３ａ，２３ｂに対してより密着させたい場合には、第１屋根面２３ａ、第２屋根面２３ｂ、第１傾斜部１１及び第２傾斜部１２に跨るように図略の防水テープをさらに貼り付けてもよい。防水部材１０の取り付け後は、必要に応じて屋根面２３ａ，２３ｂに図略のルーフィング材がさらに取り付けられ、また、側壁面２５に図略の壁用防水透湿シートが取り付けられる。
【００５６】
なお、ステープル、鋲、釘などの固定部材５１を防水部材１０に打ち込んだ場合、防水部材１０の材質によっては、その打ち込み部分から雨水等が浸入するおそれがある。そこで、このような事態を確実に防止する観点からも、上述したオレフィン系熱可塑性エラストマーを防水部材１０の材質として用いることが好ましい。先にも説明したとおり、オレフィン系熱可塑性エラストマーは、優れたゴム弾性を有するとともに、耐水性および耐候性等に優れるため、上記のような固定部材５１を防水部材１０に打ち込んでも、シール性が損なわれるのを抑制でき、防水部材１０の性能を長期間にわたって維持することができる。
【００５７】
（物性評価）
図８は、防水部材１０の物性を評価した部位を示す斜視図である。図９は、その物性評価結果を示すグラフである。図８に示すように、この物性評価では、防水部材１０の３箇所から試験片Ａ、試験片Ｂ及び試験片Ｃを採取した。すなわち、試験片Ａは、第１起立部１３の領域から採取したものである。試験片Ｂは、第１起立部１３、第２起立部１４及びこれらの間の伸長部１５（第１伸長部１７）を含む領域から採取したものである。試験片Ｃは、第１起立部１３、第２起立部１４及び伸長部１５の上端１５１に位置する第２伸長部１８を含む領域から採取したものである。
【００５８】
引張特性の試験は、ＪＩＳＫ７１２７の条件に準拠して行った。各試験片の長さは１００ｍｍとし、各試験片の幅は１０ｍｍとした。第１起立部１３及び第２起立部１４の厚みｔ１は０．８ｍｍとした。伸長部１５の幅Ｗ１は５ｍｍとした。第１伸長部１７の厚みｔ２は０．４ｍｍとし、第２伸長部１８の厚みは０．８ｍｍとし、第２伸長部１８の高さｈ１は０．５ｍｍとした。チャック間の寸法は５０ｍｍとし、試験速度は２００ｍ／分とした。
【００５９】
図９に示すように、試験片Ａの伸びと、試験片Ｂ及び試験片Ｃの伸びとを比較すると明らかなように、伸長部１５は、同じ強度が加えられたときに第１起立部１３よりも伸び変形しやすいことがわかる。また、試験片Ｂの伸びと試験片Ｃの伸びとを比較すると明らかなように、伸長部１５のうち、第２伸長部１８を含む領域は、同じ強度が加えられたときに第２伸長部１８を含まない領域に比べて伸び変形が抑制されていることがわかる。このように伸び変形が抑制されているのは、第２伸長部１８の剛性が第１伸長部１７の剛性よりも高められているからである。
【００６０】
また、防水部材１０を例えば前述した角度θの範囲に調節する場合には、上端１５１の部分は１４ｍｍ程度の伸びが必要になる。図９に示すように、各試験片は、少なくとも１４ｍｍの伸びが可能であることがわかる。
【００６１】
（変形例）
図７に示す防水部材１０の変形例は、伸長部１５の幅Ｗ１が下端１５２から上端１５１に向かうにつれて次第に大きくなる点で図２（Ｂ）に示す実施形態とは異なっている。
【００６２】
前述したように防水部材１０では、第１傾斜部１１と第２傾斜部１２とのなす角度θを調節するために伸長部１５を伸び変形させると、伸長部１５の上端１５１側の部位の変形量が他の部位よりも大きくなる傾向にある。そこで、この変形例では、伸長部１５を図７に示すように扇形状にすることにより、伸長部１５の上端１５１側の部位の伸び変形のしやすさがより高められている。これにより、角度調節時の作業性を向上させることができるとともに、角度調節の範囲をより広げることができる。
【００６３】
なお、図示は省略するが、この変形例においても伸長部１５が第１伸長部１７と第２伸長部１８とを含んでいてもよい。
【００６４】
（他の実施形態）
以上、本発明の実施形態について説明したが、本発明は、上述した実施形態に限定されることなく、種々の形態で実施することができる。
【００６５】
例えば前記実施形態では、第２伸長部１８を第１伸長部１７の上端に隣接する位置に１つだけ設ける場合を例示したが、これに限定されない。例えば、伸長部１５の上端１５１から下端１５２までの間に上下方向に所定間隔をあけて複数の第２伸長部１８を設けてもよい。
【００６６】
また、図２（Ｂ）に示す前記実施形態では、防水部材１０が第２伸長部１８を備えている場合を例示したが、この第２伸長部１８は必須のものではない。例えば、第２伸長部１８を設けなくても伸長部１５が引張力Ｆに対する十分な耐久性を有している場合には第２伸長部１８を省略することもできる。
【符号の説明】
【００６７】
１０  防水部材
１１  第１傾斜部
１２  第２傾斜部
１３  第１起立部
１４  第２起立部
１５  伸長部
１５ａ  伸長部の外面
１５ｂ  伸長部の内面
１５１  伸長部の上端
１５２  伸長部の下端
１６  稜線
１７  第１伸長部
１８  第２伸長部
２１  棟
２２  棟角部
２３  屋根
２３ａ  第１屋根面
２３ｂ  第２屋根面
２５  側壁面
ｔ１  第１起立部及び第２起立部の厚み
ｔ２  伸長部の厚み
Ｗ１  伸長部の幅
θ  第１傾斜部の下面と第２傾斜部の下面のなす角度
【図１】
0005485199.tif 000002
【図２】
0005485199.tif 000003
【図３】
0005485199.tif 000004
【図４】
0005485199.tif 000005
【図５】
0005485199.tif 000006
【図６】
0005485199.tif 000007
【図７】
0005485199.tif 000008
【図８】
0005485199.tif 000009
【図９】
0005485199.tif 000010